(57)【要約】本明細書には強化パッケージが開示されている。パッケージは、袋と、袋に取り付けられる強化スリーブとを備える。袋は、開放端部と閉鎖端部と製品保持用の内部空間とを有する。袋は、内部空間が減少する非起立位置と、内部空間が増大する起立位置とに配置可能である。強化スリーブは、袋の閉鎖端部を少なくとも部分的に収めるように構成されている複数のパネルを有する。複数のパネルは、フロントパネルと、フロントパネルに折曲可能につながっている第１のサイドパネルと、フロントパネルに折曲可能につながっている第２のサイドパネルと、第１のサイドパネル及び第２のサイドパネルのうちの一方に折曲可能につながっている少なくとも１つのバックパネルとを含む。強化スリーブは、袋を起立位置に維持するように構成されている。【選択図】図４
2016510712.tif 000002
【特許請求の範囲】
【請求項１】
強化パッケージであって、
開放端部と閉鎖端部と製品保持用の内部空間とを有し、該内部空間が減少する非起立位置と、該内部空間が増大する起立位置とに配置可能である袋と、
前記袋に取り付けられるとともに、前記袋の前記閉鎖端部を少なくとも部分的に収めるように構成されている複数のパネルを有する強化スリーブであって、前記複数のパネルは、フロントパネルと、該フロントパネルに折曲可能につながっている第１のサイドパネルと、前記フロントパネルに折曲可能につながっている第２のサイドパネルと、前記第１のサイドパネル及び前記第２のサイドパネルのうちの一方に折曲可能につながっている少なくとも１つのバックパネルとを含む、強化スリーブと、
を備え、前記強化スリーブは、前記袋を前記起立位置に維持するように構成されている、強化パッケージ。
【請求項２】
前記複数のパネルは、
前記第１のサイドパネルに折曲可能につながっている第３のサイドパネルと、
前記第２のサイドパネルに折曲可能につながっている第４のサイドパネルと、
を更に含み、前記少なくとも１つのバックパネルは、前記第３のサイドパネル及び前記第４のサイドパネルのうちの一方に折曲可能につながっている、請求項１に記載のパッケージ。
【請求項３】
前記少なくとも１つのバックパネルは第１のバックパネルであり、該第１のバックパネルは、前記第３のサイドパネルに折曲可能につながっており、前記複数のパネルは、前記第４のサイドパネルに折曲可能につながっている第２のバックパネルを更に含む、請求項２に記載のパッケージ。
【請求項４】
前記第１のサイドパネル及び前記第２のサイドパネルは、それぞれの弧状折曲線において前記フロントパネルに折曲可能につながっている、請求項３に記載のパッケージ。
【請求項５】
前記第１のバックパネルは、前記第２のバックパネルに少なくとも部分的に重なる、請求項３に記載のパッケージ。
【請求項６】
前記第１のサイドパネルと前記第３のサイドパネルとは、前記袋が前記起立位置に配置される場合、前記パッケージの第１の側部を形成し、前記第２のサイドパネルと前記第４のサイドパネルとは、前記袋が前記起立位置に配置される場合、前記パッケージの第２の側部を形成する、請求項２に記載のパッケージ。
【請求項７】
前記強化スリーブは、第１の縁と底縁とを更に有し、前記袋は、前記第１の縁から上方に延出する、請求項２に記載のパッケージ。
【請求項８】
前記強化スリーブは、第１の縁と底縁とを更に有し、該底縁は、前記袋が起立の
形態に配置される場合、支持部を形成し、該支持部は、表面に接触して前記パッケージを該表面上で直立姿勢に維持するものである、請求項２に記載のパッケージ。
【請求項９】
前記支持部は、前記フロントパネルの第１の縁と、前記バックパネルの第２の縁とを含み、前記第１の縁と前記第２の縁とは離間している、請求項８に記載のパッケージ。
【請求項１０】
前記強化スリーブは、第１の縁と底縁とを更に有し、前記フロントパネルと前記バックパネルとは、前記パッケージの前記底縁において合一する、請求項２に記載のパッケージ。
【請求項１１】
前記第１のサイドパネルは、第１の弧状折曲線において前記フロントパネルに折曲可能につながっており、前記第３のサイドパネルは、第１の直線状折曲線において前記第１のサイドパネルに折曲可能につながっており、前記少なくとも１つのバックパネルは、第２の弧状折曲線において前記第３のサイドパネルに折曲可能につながっており、前記第１の弧状折曲線と前記第２の弧状折曲線とは、前記第１の直線状折曲線から離間している、請求項２に記載のパッケージ。
【請求項１２】
前記第２のサイドパネルは、第３の弧状折曲線において前記フロントパネルに折曲可能につながっており、前記第４のサイドパネルは、第２の直線状折曲線において前記第２のサイドパネルに折曲可能につながっており、前記少なくとも１つのバックパネルは、第４の弧状折曲線において前記第４のサイドパネルに折曲可能につながっており、前記第３の弧状折曲線と前記第４の弧状折曲線とは、前記第２の直線状折曲線から離間している、請求項１１に記載のパッケージ。
【請求項１３】
前記第１のサイドパネルは、第１の弧状折曲線において前記フロントパネルに折曲可能につながっており、前記第３のサイドパネルは、第１の直線状折曲線において前記第１のサイドパネルに折曲可能につながっており、前記少なくとも１つのバックパネルは、第２の弧状折曲線において前記第３のサイドパネルに折曲可能につながっており、前記第１の弧状折曲線と前記第２の弧状折曲線とは、前記第１の直線状折曲線において交わっている、請求項２に記載のパッケージ。
【請求項１４】
前記第２のサイドパネルは、第３の弧状折曲線において前記フロントパネルに折曲可能につながっており、前記第４のサイドパネルは、第２の直線状折曲線において前記第２のサイドパネルに折曲可能につながっており、前記少なくとも１つのバックパネルは、第４の弧状折曲線において前記第４のサイドパネルに折曲可能につながっており、前記第３の弧状折曲線と前記第４の弧状折曲線とは、前記第２の直線状折曲線において交わっている、請求項１３に記載のパッケージ。
【請求項１５】
前記袋は、前記開放端部に隣接する、該袋の前記内部空間へのアクセスに用いるノッチを更に有する、請求項１に記載のパッケージ。
【請求項１６】
前記袋は、前記開放端部に隣接する、該袋の前記内部空間へのアクセスに用いるフラップを更に有する、請求項１に記載のパッケージ。
【請求項１７】
前記袋は、前記第１のサイドパネル及び前記第２のサイドパネルに隣接するガセット付き側部を有する、請求項１に記載のパッケージ。
【請求項１８】
前記フロントパネルの少なくとも一部が前記袋の外面に固着される、請求項１に記載のパッケージ。
【請求項１９】
前記少なくとも１つのバックパネルの少なくとも一部が前記袋の前記外面に固着される、請求項１８に記載のパッケージ。
【請求項２０】
前記フロントパネルは接着剤領域を有し、該接着剤領域は、前記フロントパネルの自由頂端から第１の距離だけ離間しており、該接着剤領域は、前記フロントパネルの自由底端から第２の距離だけ離間しており、前記第１の距離は前記第２の距離よりも短い、請求項１に記載のパッケージ。
【請求項２１】
前記袋の前記閉鎖端部は、前記袋が前記起立位置に配置される場合、前記接着剤領域に向かって上方に延出するように構成されている、請求項２０に記載のパッケージ。
【請求項２２】
袋を収める強化スリーブであって、該強化スリーブは、前記袋を少なくとも部分的に収めるように構成されている複数のパネルを含み、該複数のパネルは、フロントパネルと、該フロントパネルに折曲可能につながっている第１のサイドパネルと、前記フロントパネルに折曲可能につながっている第２のサイドパネルと、前記第１のサイドパネル及び前記第２のサイドパネルのうちの一方に折曲可能につながっている少なくとも１つのバックパネルとを含み、該強化スリーブは、前記収めている袋を表面に対して起立位置に維持するように構成されている、強化スリーブ。
【請求項２３】
前記複数のパネルは、
前記第１のサイドパネルに折曲可能につながっている第３のサイドパネルと、
前記第２のサイドパネルに折曲可能につながっている第４のサイドパネルと、
を更に含み、前記少なくとも１つのバックパネルは、前記第３のサイドパネル及び前記第４のサイドパネルのうちの一方に折曲可能につながっている、請求項２２に記載の強化スリーブ。
【請求項２４】
前記少なくとも１つのバックパネルは第１のバックパネルであり、該第１のバックパネルは、前記第３のサイドパネルに折曲可能につながっており、前記複数のパネルは、前記第４のサイドパネルに折曲可能につながっている第２のバックパネルを更に含む、請求項２３に記載の強化スリーブ。
【請求項２５】
前記第１のサイドパネル及び前記第２のサイドパネルは、それぞれの弧状折曲線において前記フロントパネルに折曲可能につながっている、請求項２４に記載の強化スリーブ。
【請求項２６】
前記第１のバックパネルは、前記第２のバックパネルに少なくとも部分的に重なる、請求項２４に記載の強化スリーブ。
【請求項２７】
前記第１のサイドパネルと前記第３のサイドパネルとは、前記スリーブの第１の側部を形成するものであり、前記第２のサイドパネルと前記第４のサイドパネルとは、前記スリーブの第２の側部を形成するものである、請求項２３に記載の強化スリーブ。
【請求項２８】
前記強化スリーブは、第１の縁と底縁とを更に有し、前記収めている袋は、前記第１の縁から上方に延出するように構成されている、請求項２３に記載の強化スリーブ。
【請求項２９】
前記強化スリーブは、第１の縁と底縁とを更に有し、該底縁は支持部を形成し、該支持部は、前記表面に接触して前記スリーブ及び前記収めている袋を該表面上で直立位置に維持するものである、請求項２３に記載の強化スリーブ。
【請求項３０】
前記支持部は、前記フロントパネルの第１の縁と、前記バックパネルの第２の縁とを含み、前記第１の縁と前記第２の縁とは離間している、請求項２９に記載の強化スリーブ。
【請求項３１】
前記強化スリーブは、第１の縁と底縁とを更に有し、前記フロントパネルと前記バックパネルとは、パッケージの前記底縁において合一する、請求項２３に記載の強化スリーブ。
【請求項３２】
前記第１のサイドパネルは、第１の弧状折曲線において前記フロントパネルに折曲可能につながっており、前記第３のサイドパネルは、第１の直線状折曲線において前記第１のサイドパネルに折曲可能につながっており、前記少なくとも１つのバックパネルは、第２の弧状折曲線において前記第３のサイドパネルに折曲可能につながっており、前記第１の弧状折曲線と前記第２の弧状折曲線とは、前記第１の直線状折曲線から離間している、請求項２３に記載のパッケージ。
【請求項３３】
前記第２のサイドパネルは、第３の弧状折曲線において前記フロントパネルに折曲可能につながっており、前記第４のサイドパネルは、第２の直線状折曲線において前記第２のサイドパネルに折曲可能につながっており、前記少なくとも１つのバックパネルは、第４の弧状折曲線において前記第４のサイドパネルに折曲可能につながっており、前記第３の弧状折曲線と前記第４の弧状折曲線とは、前記第２の直線状折曲線から離間している、請求項３２に記載のパッケージ。
【請求項３４】
前記第１のサイドパネルは、第１の弧状折曲線において前記フロントパネルに折曲可能につながっており、前記第３のサイドパネルは、第１の直線状折曲線において前記第１のサイドパネルに折曲可能につながっており、前記少なくとも１つのバックパネルは、第２の弧状折曲線において前記第３のサイドパネルに折曲可能につながっており、前記第１の弧状折曲線と前記第２の弧状折曲線とは、前記第１の直線状折曲線において交わっている、請求項２３に記載のパッケージ。
【請求項３５】
前記第２のサイドパネルは、第３の弧状折曲線において前記フロントパネルに折曲可能につながっており、前記第４のサイドパネルは、第２の直線状折曲線において前記第２のサイドパネルに折曲可能につながっており、前記少なくとも１つのバックパネルは、第４の弧状折曲線において前記第４のサイドパネルに折曲可能につながっており、前記第３の弧状折曲線と前記第４の弧状折曲線とは、前記第２の直線状折曲線において交わっている、請求項３４に記載のパッケージ。
【請求項３６】
前記フロントパネルは接着剤領域を有し、該接着剤領域は、前記フロントパネルの自由頂端から第１の距離だけ離間しており、該接着剤領域は、前記フロントパネルの自由底端から第２の距離だけ離間しており、前記第１の距離は前記第２の距離よりも短い、請求項２２に記載の強化スリーブ。
【発明の詳細な説明】
【技術分野】
【０００１】
本開示は、包括的には、製品を保持するパッケージに関する。本開示は、より詳細には、袋を起立位置に支持する強化スリーブを備えるパッケージに関する。
【発明の概要】
【０００２】
１つの態様において、本開示は、包括的には強化パッケージに関する。該パッケージは、袋と、該袋に取り付けられる強化スリーブとを備える。前記袋は、開放端部と閉鎖端部と製品保持用の内部空間とを有する。前記袋は、該内部空間が減少する非起立位置と、該内部空間が増大する起立位置とに配置可能である。強化スリーブは、前記袋の前記閉鎖端部を少なくとも部分的に収めるように構成されている複数のパネルを有する。前記複数のパネルは、フロントパネルと、該フロントパネルに折曲可能につながっている第１のサイドパネルと、前記フロントパネルに折曲可能につながっている第２のサイドパネルと、前記第１のサイドパネル及び前記第２のサイドパネルのうちの一方に折曲可能につながっている少なくとも１つのバックパネルとを含む。前記強化スリーブは、前記袋を前記起立位置に維持するように構成されている。
【０００３】
別の態様において、本開示は、包括的には袋用の強化スリーブに関する。該強化スリーブは、前記袋を少なくとも部分的に収めるように構成されている複数のパネルを含む。該複数のパネルは、フロントパネルと、該フロントパネルに折曲可能につながっている第１のサイドパネルと、前記フロントパネルに折曲可能につながっている第２のサイドパネルと、前記第１のサイドパネル及び前記第２のサイドパネルのうちの一方に折曲可能につながっている少なくとも１つのバックパネルとを含む。該強化スリーブは、前記袋を表面に対して起立位置に維持するように構成されている。
【０００４】
本発明の更なる態様、特徴及び利点は、以下の説明及び添付の図面から明らかになる。
【０００５】
当業者は、添付図面を参照して実施形態の以下の詳細な説明を読むことによって、上記の利点、並びに種々の更なる実施形態の他の利点及び利益を理解するであろう。個々に、また様々な組合せで与えられる上述の態様が本開示の範囲内にある。
【０００６】
慣例によれば、以下で説明する図面の種々の特徴は、必ずしも一定の縮尺比で描かれているとは限らない。図面における種々の特徴及び要素の寸法は、本開示の実施形態をより明確に示すために拡大又は縮小されている場合がある。
【図面の簡単な説明】
【０００７】
【図１】本開示の第１の実施形態に係る、第１の位置にある強化パッケージを示す図である。
【図２】図１の強化パッケージの強化スリーブを形成するブランクの内面の平面図である。
【図３】第２の位置にある図１のパッケージの底面斜視図である。
【図４】図３の強化パッケージの斜視図である。
【図５】本開示の第２の実施形態に係る、第１の位置にある強化パッケージを示す図である。
【図６】図５の強化パッケージの強化スリーブを形成するブランクの内面の平面図である。
【図７】第２の位置にある図５のパッケージの斜視図である。
【図８】本開示の第３の実施形態に係る強化パッケージの斜視図である。
【図９】本開示の第４の実施形態に係る強化スリーブを形成するブランクの外面の平面図である。
【発明を実施するための形態】
【０００８】
対応する部分は、図面を通して対応する参照符号によって示されている。
【０００９】
本開示は、包括的には、食品又は他の物品等の製品を保持する強化パッケージに関する。本開示に係るパッケージは、いかなる形状の物品にも対応することができる。
【００１０】
図１は、全体として１で示す、本開示の第１の実施形態に係る強化パッケージを示している。パッケージは、袋（バッグ）３と、袋３に取り付けられる強化スリーブ５とを備える。袋は、開放端部７と閉鎖端部９と製品保持用の内部空間１７とを有する。内部空間１７は、袋３にあるノッチ１５を通してアクセス可能としてもよい。強化スリーブ５は、袋３の閉鎖端部９の一部１１を少なくとも部分的に収めるように構成されている。
【００１１】
図２に示すように、強化スリーブ５を形成するブランク１０が、横軸ＬＩ及び縦軸Ｌ２を有する。図示の実施形態では、ブランク１０は、第１の弧状折曲線３３において第１のサイドパネル２８に折曲可能につながっているフロントパネル２１を有する。第１のサイドパネル２８は、横方向折曲線２６において互いに折曲可能につながっている、２つの別個のパネル部分２８Ａ、２８Ｂを含む。第１のバックパネル２３が、第２の弧状折曲線３１において第１のサイドパネル２８に折曲可能につながっている。第２のサイドパネル２９が、第３の弧状折曲線３５においてフロントパネル２１に折曲可能につながっている。第２のサイドパネル２９は、横方向折曲線２７において互いに折曲可能につながっている、２つの別個のパネル部分２９Ａ、２９Ｂを含む。第２のバックパネル２５が、第４の弧状折曲線３７において第２のサイドパネル２９に折曲可能につながっている。図示のように、弧状折曲線３１、３３は、横方向折曲線２６から離間している。同様に、弧状折曲線３５、３７は、横方向折曲線２７から離間している。代替的な実施形態において、ブランク１０は、代替的なパネル、折曲線、及び／又はパネル部分の構成を有することができる。
【００１２】
図示の実施形態では、ブランク１０は、第１のバックパネル２３、フロントパネル２１、及び／又は第２のバックパネル２５に、接着剤を受けて袋３の外面に固着される１つ又は複数の接着剤領域４１、４３、及び４５をそれぞれ有することができる。さらに、ブランク１０は、縦方向Ｌ２に延在する第１の縁５２と底縁５３とを有する。１つの実施形態において、接着剤領域４１、４３、４５は、第１の縁５２から第１の距離Ｄ１だけ離間しており、底縁５３から第２の距離Ｄ２だけ離間している。１つの実施形態において、第１の距離Ｄ１は第２の距離Ｄ２よりも短い。第１のサイドパネル２８及び第２のサイドパネル２９と、接着剤領域４１、４３、４５とは別の領域とは、いくつかの実施形態では概して接着剤が付いていなくてもよいし、代替的な実施形態では接着剤を有してもよい。さらに、第１の距離Ｄ１及び第２の距離Ｄ２、接着剤領域４１、４３、４５、及び／又は縁５２、５３は、本開示の範囲から逸脱することなく別様に構成、成形、変更、又は省略することができる。
【００１３】
概して、ブランク１０を、折曲線２６、２７で折り曲げて、強化スリーブ５を形成することができる。例えば、第１のバックパネル２３の遠位端部５５と、第２のバックパネル２５の遠位端部５７とを重ね合わせて、図１、図３、及び図４に示すようにスリーブ５を袋３に取り付けることができる。別個のパネル部分２８Ａ、２８Ｂ、２９Ａ、及び２９Ｂを、図１に示す袋３の第１の位置、すなわち非起立位置において対面整合状態とすることができる。図示の第１の位置、すなわち非起立位置では、内部空間１７の容積を減少及び／又は最小限にし、パッケージ１が非起立状態すなわち平坦状態にあるようになっている。非起立状態は、複数のパッケージを例えば出荷コンテナーに簡単に積載することと、その後の出荷先施設における整理とを容易にすることができる。別個のパネル部分２８Ａ、２８Ｂ、２９Ａ、及び２９Ｂを、図３及び図４に示す袋３の第２の位置、すなわち起立位置におけるパッケージ１の第１の側部５８及び第２の側部５９を形成するように曲げるか又は配置することができる。図示の第２の位置、すなわち起立位置では、内部空間１７の容積を増大及び／又は最大限にし、パッケージ１が起立状態すなわち自己支持状態にあるようになっている。パッケージが起立状態（図３）にある間、袋３の閉鎖端部９を矢印Ａ１の方向にスリーブ５の内部５６に上方に延出させることができる。さらに、底縁５３は、パッケージ１が起立状態にある場合、表面Ｓ（図４）に接触する支持部を形成する。底縁５３によって形成される支持部は、パッケージを表面Ｓ上で直立位置に維持する。図３及び図４に更に示すように、袋３のガセット付き側部６０は、パッケージ１が起立状態にある場合、拡張した状態に維持することができる。いくつかの実施形態によれば、パッケージ１が完全には起立していない中間状態を含む、パッケージ１の他の途中状態にも適用可能である。さらに、いくつかの実施形態によれば、異なる形態の更なる強化スリーブにも適用可能である。
【００１４】
例えば、図５を参照すると、全体として６１で示す、本開示の第２の実施形態に係る強化パッケージが示されている。パッケージ６１は、袋３と、袋３に取り付けられる強化スリーブ６とを備える。強化スリーブ６は、袋３の閉鎖端部９の一部１１を少なくとも部分的に収めるように構成されている。
【００１５】
図６に示すように、強化スリーブ６を形成するブランク７０が、横軸ＬＩ及び縦軸Ｌ２を有する。図示の実施形態では、ブランク７０は、第１の弧状折曲線８３において第１のサイドパネル７８に折曲可能につながっているフロントパネル７１を備える。第１のサイドパネル７８は、横方向折曲線７６において互いに折曲可能につながっている、２つの別個のパネル部分７８Ａ、７８Ｂを有する。第１のバックパネル７３が、第２の弧状折曲線８１において第１のサイドパネル７８に折曲可能につながっている。第２のサイドパネル７９が、第３の弧状折曲線８５においてフロントパネル７１に折曲可能につながっている。第２のサイドパネル７９は、横方向折曲線７７において互いに折曲可能につながっている、２つの別個のパネル部分７９Ａ、７９Ｂを有する。第２のバックパネル７５が、第４の弧状折曲線８７において第２のサイドパネル７９に折曲可能につながっている。図示のように、弧状折曲線８１、８３は、横方向折曲線７６の一方の端では合一し、横方向折曲線７６のもう一方の端では離間している。同様に、弧状折曲線８５、８７は、横方向折曲線７７の一方の端では合一し、横方向折曲線７７のもう一方の端では離間している。代替的な実施形態において、ブランク７０は、代替的なパネル、折曲線、及び／又はパネル部分の構成を有することができる。
【００１６】
図示の実施形態では、ブランク７０は、第１のバックパネル７３、フロントパネル７１、及び／又は第２のバックパネル７５に、接着剤を受けて袋３の外面に固着される１つ又は複数の接着剤領域９１、９３、及び９５をそれぞれ有することができる。さらに、ブランク７０は、縦方向Ｌ２に延在する第１の縁１０２と底縁１０３とを有する。１つの実施形態において、接着剤領域９１、９３、９５は、第１の縁１０２及び底縁１０３から離間している。第１のサイドパネル７８及び第２のサイドパネル７９及び接着剤領域９１、９３、９５とは離間した別の領域は、いくつかの実施形態では概して接着剤が付いていなくてもよいし、代替的な実施形態では接着剤を有してもよい。さらに、接着剤領域９１、９３、９５、及び／又は縁１０２、１０３は、本開示の範囲から逸脱することなく別様に構成、成形、変更、又は省略することができる。
【００１７】
概して、ブランク７０を、折曲線７６、７７の回りに折り曲げて、強化スリーブ６を形成することができる。例えば、第１のバックパネル７３の遠位端部１０５と、第２のバックパネル７５の遠位端部１０７とを重ね合わせて、図５及び図７に示すようにスリーブ６を袋３に取り付けることができる。別個のパネル部分７８Ａ、７８Ｂ、７９Ａ、及び７９Ｂを、図５に示す袋３の第１の位置、すなわち非起立位置において対面整合状態とすることができる。図示の第１の位置、すなわち非起立位置は、内部空間１７の容積を減少及び／又は最小限にし、パッケージ１が非起立状態すなわち平坦状態にあるようになっている。第１の実施形態に関して記載したように、非起立状態は、複数のパッケージを例えば出荷コンテナーに簡単に積載することと、その後の出荷先施設における整理とを容易にすることができる。別個のパネル部分７８Ａ、７８Ｂ、７９Ａ、及び７９Ｂを、図７に示す袋３の第２の位置、すなわち起立位置におけるパッケージ１の第１の側部１０８及び第２の側部１０９を形成するように曲げるか又は配置することができる。図示の第２の位置、すなわち起立位置では、内部空間１７の容積を増大及び／又は最大限にし、図７に示すようにパッケージ１が起立状態又は自己支持状態にあるようになっている。図示の実施形態では、袋３の閉鎖端部９をスリーブ６により全体的に収容することができる。さらに、フロントパネル７１と、重なり合った第１のバックパネル７３及び第２のバックパネル７５とは、底縁１０３において合一し、パッケージ７全体が表面Ｓ上で完全に維持される起立状態において傾斜することを可能にする。図７に更に示すように、袋３のガセット付き側部６０は、パッケージ７が起立状態である場合、拡張した状態に維持することができる。いくつかの実施形態によれば、パッケージ７が完全に起立していない中間状態を含む、パッケージ７の他の途中状態に対しても適用可能である。さらに、いくつかの実施形態によれば、異なる形態の更なる袋にも適用可能である。
【００１８】
例えば、図８は、本開示の第３の実施形態に係る代替的な強化パッケージ１１１の斜視図である。パッケージは、袋１１３と、袋１１３に取り付けられる強化スリーブ５又は６のいずれかとを備える。袋１１３は、開放端部１０７と閉鎖端部１０９と製品保持用の内部空間１１７とを有する。内部空間１１７へは、袋１１３にあるフラップ１１５を通してアクセス可能としてもよい。また、袋１１３は、ガセット付き側部１１９を有してもよく、上述したように強化スリーブ５、６を用いることで起立位置に維持することができる。
【００１９】
図９は、第２の実施形態と同様の特徴部を有する、本開示の第４の実施形態に係る強化スリーブを形成するブランク２００の外面の平面図である。したがって、これらの実施形態の同様又は同一の特徴部には、同一又は同様の参照符号が付されている。ブランク２００は、横方向折曲線２０３においてバックパネル２７３に折曲可能につながっているフロントパネル２７１を備える。サイドパネル部分２７８Ａ、２７８Ｂ、２７９Ａ、及び２７９Ｂは、それぞれの弧状折曲線２８１、２８３、２８５、２８７においてフロントパネル２７１及びバックパネル２７３に折曲可能につながっている。糊タブ２０５が、縦方向折曲線２０７においてサイドパネル部分２７８Ａ、２７９Ｂに折曲可能につながっている。糊タブ２０５は、サイドパネル部分２７８Ｂ、２７９Ｂにそれぞれ接着するものである。概して、接着され強化スリーブとして構成される場合、パネル２７１、２７３が折曲線２０３において合一し、縁２０２Ａ、２０２Ｂがスリーブの第１の縁を形成する。
【００２０】
概して、本明細書に記載したように、袋は紙素材によって形成することができるが、種々のプラスチック材料又は他の袋材料を用いることもでき、所望の材料でライニング又はコーティングすることもできる。本明細書に記載の強化スリーブは、クレーコーティング天然クラフト（「ＣＣＮＫ」）等のより硬質の材料で作製することができる。本明細書に記載のパッケージの構成部材を形成するのに、種々の厚紙、普通紙、プラスチック、若しくは他の合成材料又は天然材料等の他の材料を用いることもできる。
【００２１】
本発明は、本明細書中において特定の態様及び実施形態に関して詳細に説明されているが、この詳細な説明は、本発明を説明及び例示するものに過ぎず、単に本発明の十分かつ実施可能な開示を提供する目的で、また本発明がなされた時点で本発明者らが知っていた本発明を実施するための最良の形態を記載するためになされていることを理解すべきである。本明細書に記載される詳細な説明は、例示的なものに過ぎず、本発明を限定するか、又はそうでなくとも本発明の任意のそのような他の実施形態、適合形態、変形形態、変更形態及び均等な構成を除外する意図はなく、またそのように解釈すべきでもない。全ての方向に関する言及（例えば上側、下側、上方、下方、左、右、左側、右側、上部、底部、上、下、垂直、水平、時計回り及び反時計回り）は、本発明の種々の実施形態を読み手が理解することを助けるために識別する目的で使用されるに過ぎず、特許請求の範囲において具体的に記載されない限り、特に本発明の位置、向き又は使用に関して限定するものではない。接合に関する言及（例えば接合される、取り付けられる、結合される、接続される等）は、広範に解釈すべきであり、要素と要素とを接続する中間部材、及び要素間の相対的な移動を含み得る。したがって、接合に関する言及は、必ずしも２つの要素が直接接続されて互いに固定関係にあることを示唆するものではない。さらに、種々の実施形態を参照して説明された種々の要素を入れ替えて、本発明の範囲内にある全く新しい実施形態を作り出すことができる。
【図１】
2016510712.tif 000003
【図２】
2016510712.tif 000004
【図３】
2016510712.tif 000005
【図４】
2016510712.tif 000006
【図５】
2016510712.tif 000007
【図６】
2016510712.tif 000008
【図７】
2016510712.tif 000009
【図８】
2016510712.tif 000010
【図９】
2016510712.tif 000011
【国際調査報告】
2016510712.tif 000012
2016510712.tif 000013